(57)【要約】【課題】  呼接続中に無線通信接続状態の悪化等により携帯端末の再接続が実行され呼残りが発生した場合に、迅速にその呼残りを解消可能な基地局を提供する。【解決手段】  本発明の基地局１０４の構成は、携帯端末１０２と無線通信接続する無線通信部１１６と、呼接続している携帯端末１０２の識別情報を記憶する記憶部１１０と、新たに呼接続要求する携帯端末１０２の識別情報が記憶部１１０に記憶された識別情報と合致するか否かを判定し、合致すると判定した場合には以前の呼接続で割り当てられたリソースを解放する制御部１０８と、を備えることを特徴とする。【選択図】図２
2013187586.tif 000002
【特許請求の範囲】
【請求項１】
携帯端末と無線通信接続する無線通信部と、
呼接続している携帯端末の識別情報を記憶する記憶部と、
新たに呼接続要求する携帯端末の識別情報が前記記憶部に記憶された識別情報と合致するか否かを判定し、合致すると判定した場合には以前の呼接続で割り当てられたリソースを解放する制御部と、
を備えることを特徴とする基地局。
【請求項２】
回線ネットワークを介し呼接続管理装置に接続する回線接続部をさらに備え、
前記制御部は、前記新たに呼接続要求する携帯端末の識別情報が前記記憶部に記憶された識別情報と合致すると判定した場合、以前の呼接続で割り当てられたリソースの解放を要求する信号を前記呼接続管理装置に発信することを特徴とする請求項１に記載の基地局。
【請求項３】
呼接続している携帯端末の識別情報を記憶し、
新たに呼接続要求する携帯端末の識別情報が前記記憶された識別情報と合致するか否かを判定し、
合致すると判定した場合には以前の呼接続で割り当てられたリソースを解放することを特徴とする呼残り解消方法。
【発明の詳細な説明】
【技術分野】
【０００１】
本発明は、携帯端末の呼接続を中継する基地局および呼残り解消方法に関する。
【背景技術】
【０００２】
呼接続中に無線通信接続状態が悪化した場合に、基地局ではまだタイムアウト待ちをしている状況において、携帯端末では切断や再接続を行う場合がある。このように各々の回線利用状況が不一致となり、一方の回線利用状況のみが使用中となる状態は、呼残りと呼ばれている。かかる呼残りは、リソース（ＣＰＵの処理負荷やメモリ容量などの資源）の無駄使いとなるため、早期に解消すべきとされている。従来、かかる呼残りは、基地局に備えられる状態管理タイマのタイムアウトによって検出され（５〜１０秒程度）、その呼残りの検出後に以前の呼接続で割り当てられたリソースの解放を促すことで解消していた。なお、状態管理タイマには、携帯端末の同期はずれを検出する同期監視タイマや一定時間携帯端末との通信が発生していない事を検出するInactiveタイマなどがあり、呼接続している携帯端末ごとにタイムアウトを監視する。
【０００３】
一方、特許文献１では、状態モニタ情報として回線利用状況を定期的に作業用ブロックに格納し、格納された状態モニタ情報と管理用ブロックに格納されている呼残り候補データとを比較する移動通信システムの基地局装置が開示されている。これにより、かかる移動通信システムの基地局装置は、管理用ブロック内の呼残り候補データのうち無線回線と有線回線のうち一方の回線利用状況のみ使用中の異常データが所定時間以上保持されているか否かを判断し、呼残りを検出するとしている。
【先行技術文献】
【特許文献】
【０００４】
【特許文献１】特開平１１−３５５８３３号公報
【発明の概要】
【発明が解決しようとする課題】
【０００５】
しかしながら、上述したように状態管理タイマのタイムアウトや異常データが所定時間以上保持されているか否かを判断する場合には、たとえ携帯端末の再接続が実行され以前の呼接続で割り当てられたリソースが不必要になっても、これを迅速に解放することができない。タイムアウトするまで又は所定時間以上たつまでは、必ずリソースを確保し続ける構成だからである。
【０００６】
本発明は、上記課題に鑑みてなされたものであり、呼接続中に無線通信接続状態の悪化等により携帯端末の再接続が実行され呼残りが発生した場合に、迅速にその呼残りを解消可能な基地局および呼残り解消方法を提供することを目的とする。
【課題を解決するための手段】
【０００７】
上記課題を解決するために本発明にかかる基地局の構成は、携帯端末と無線通信接続する無線通信部と、呼接続している携帯端末の識別情報を記憶する記憶部と、新たに呼接続要求する携帯端末の識別情報が記憶部に記憶された識別情報と合致するか否かを判定し、合致すると判定した場合には以前の呼接続で割り当てられたリソースを解放する制御部と、を備えることを特徴とする。
【０００８】
当該基地局は、回線ネットワークを介し呼接続管理装置に接続する回線接続部をさらに備え、制御部は、新たに呼接続要求する携帯端末の識別情報が記憶部に記憶された識別情報と合致すると判定した場合、以前の呼接続で割り当てられたリソースの解放を要求する信号を呼接続管理装置に発信するとよい。
【０００９】
上記課題を解決するために本発明にかかる呼残り解消方法の構成は、呼接続している携帯端末の識別情報を記憶し、新たに呼接続要求する携帯端末の識別情報が記憶された識別情報と合致するか否かを判定し、合致すると判定した場合には以前の呼接続で割り当てられたリソースを解放することを特徴とする。
【発明の効果】
【００１０】
本発明によれば、呼接続中に無線通信接続状態の悪化等により携帯端末の再接続が実行され呼残りが発生した場合に、迅速にその呼残りを解消可能な基地局および呼残り解消方法を提供することができる。
【図面の簡単な説明】
【００１１】
【図１】本実施形態にかかる基地局を含む無線通信システムの概略構成を示すブロック図である。
【図２】図１の無線通信システムによる呼残り解消の流れを時系列的に示す図である。
【図３】図１の基地局の呼残り解消方法について説明するフローチャートである。
【図４】比較例にかかる無線通信システムによる呼残り解消の流れを時系列的に示す図である。
【発明を実施するための形態】
【００１２】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１３】
図１は、本実施形態にかかる基地局１０４を含む無線通信システム１００の概略構成を示すブロック図である。図１に示すように、無線通信システム１００は、携帯端末１０２と、携帯端末１０２の呼接続を中継する基地局１０４と、回線ネットワーク１２６側で携帯端末１０２の呼接続を管理する呼接続管理装置１０６とを含む。
【００１４】
携帯端末１０２は、制御部１０８と、記憶部１１０と、表示部１１２と、操作部１１４と、無線通信部１１６とを含む。制御部１０８は、中央処理装置（ＣＰＵ）を含んで構成され、当該端末全体の制御を行う。記憶部１１０は、ＲＯＭやＲＡＭ、フラッシュメモリ等で構成され、当該端末で用いられるプログラムや各種データを記憶する。表示部１１２は、液晶ディスプレイ、ＥＬ(Electro Luminescence)ディスプレイ等とそのコントローラで構成され、ユーザに視認させる画像を表示する。操作部１１４は、タッチパネルやテンキー等で構成され、ユーザの操作入力を受け付ける。
【００１５】
無線通信部１１６は、Ｗ−ＣＤＭＡやＴＤＭＡ等の無線通信方式を通じて基地局１０４との無線通信接続を確立し、通信相手との音声通信やＷｅｂサーバとのデータ通信を実行する。
【００１６】
基地局１０４は、制御部１１８と、記憶部１２０と、無線通信部１２２と、回線接続部１２４とを含む。制御部１１８は、中央処理装置（ＣＰＵ）を含んで構成され、当該基地局１０４全体の制御を行う。記憶部１２０は、ＲＯＭやＲＡＭ、フラッシュメモリ等で構成され、当該基地局１０４で用いられるプログラムや各種データを記憶する。無線通信部１２２は、Ｗ−ＣＤＭＡやＴＤＭＡ等の無線通信方式を通じて当該基地局１０４のセルエリア内にある１または複数の携帯端末１０２との無線通信接続を確立する。
【００１７】
回線接続部１２４は、回線ネットワーク１２６に接続する。回線接続部１２４は、携帯端末１０２からの呼接続要求に応じて、回線ネットワーク１２６を介し呼接続管理装置１０６に接続し、呼接続管理装置１０６が通信相手との音声通信の通信経路を設定する。
【００１８】
図２は、無線通信システム１００による呼残り解消の流れを時系列的に示す図である。図３は、基地局１０４の呼残り解消方法について説明するフローチャートである。以下、図２、図３を参照しながら、本実施形態にかかる呼残り解消方法について説明する。
【００１９】
図２に示すように、１または複数の携帯端末１０２と基地局１０４とは呼接続が確立され呼接続中である（ステップＳ３００）。図３に示すように、基地局１０４の記憶部１２０は、呼接続している携帯端末１０２の識別情報をそれぞれ記憶するテーブルを有する。したがって、呼接続している携帯端末の識別情報は基地局１０４の記憶部１２０に記憶されている（ステップＳ３０２）。なお、ここでは識別情報として端末ＩＤを用いている。通常、無線通信接続が切断された場合には、記憶されている携帯端末の識別情報は、記憶部１２０から消去される。
【００２０】
図２に示すように、ここで無線通信接続状態の悪化等によってその無線通信接続が切断され、ユーザまたは携帯端末１０２の制御部１０８により再接続が判定されると（ステップＳ３０４）、携帯端末１０２の制御部１０８は無線通信部１１６を介し新たな呼接続要求を発信する（ステップＳ３０６）。
【００２１】
図３に示すように、基地局１０４の制御部１１８は無線通信部１２２を介しその新たな呼接続要求を受け取ると（ステップＳ３０８ＹＥＳ）、携帯端末１０２との再接続を確立しつつ、その新たに呼接続要求する携帯端末１０２の端末ＩＤを取得する（ステップＳ３２２）。そして、制御部１１８は、記憶部１２０に記憶された端末ＩＤの１つを取得し（ステップＳ３２４）、ステップＳ３２２で取得した端末ＩＤと合致するか否かを判定する（ステップＳ３１０）。制御部１１８は端末ＩＤが合致すると判定した場合（ステップＳ３１０ＹＥＳ）、以前の呼接続で割り当てられたリソース（ＣＰＵの処理負荷やメモリ容量などの資源）を解放する（ステップＳ３１２）。一方、制御部１１８は端末ＩＤが合致しないと判定した場合（ステップＳ３１０ＮＯ）、ステップＳ３２２で取得した端末ＩＤが記憶部１２０に記憶された全ての端末ＩＤと比較されたか否かを判定する（ステップＳ３２６）。そして、制御部１１８は全ての比較が終了していない場合（ステップＳ３２６ＮＯ）ステップＳ３２４に戻り、記憶部１２０に記憶された他の端末ＩＤを取得して比較を繰り返す。
【００２２】
かかる構成により、基地局１０４の制御部１１８は、携帯端末１０２が再接続してくる場合、その携帯端末１０２の端末ＩＤと記憶部１２０に記憶されている端末ＩＤとが合致すると判定したときに以前の呼接続で割り当てられたリソースを解放することができる。したがって、基地局１０４のリソースの有効利用を図ることができる。
【００２３】
また図２に示すように、本実施形態では端末ＩＤが合致すると判定した場合、制御部１１８は、以前の呼接続で割り当てられたリソースの解放を要求する信号を呼接続管理装置１０６に発信する（ステップＳ３１４）。これにより、回線ネットワーク１２６側のリソースすなわち通話相手側のリソースの解放を呼接続管理装置１０６に実行させることができる。呼接続管理装置１０６は、リソースの解放に伴い、基地局１０４に応答信号を発信する（ステップＳ３１６）。
【００２４】
かかる構成により、基地局１０４だけでなく、通話相手側のリソースの有効利用を図ることも可能となる。
【００２５】
なお、本実施形態では、通話相手側のリソース解放を先に行い、基地局１０４のリソース解放を後に行うが、この順序は逆でもよく、また双方のリソース解放を並行して行ってもよい。
【００２６】
図４は、比較例にかかる無線通信システム２００による呼残り解消の流れを時系列的に示す図である。なお、本実施形態と実質的に同一の要素については、同一の符号を付することにより重複説明を省略する。
【００２７】
図４に示すように、比較例にかかる無線通信システム２００では、基地局２０４に備えられる状態管理タイマが携帯端末２０２との無線通信接続を監視し（ステップＳ４１８）、状態管理タイマのタイムアウトの検出（ステップＳ４２０）によって基地局２０４のリソースを解放する。また、タイムアウトの検出後、呼接続管理装置２０６に、通話相手側のリソースの解放を要求する信号を発信し、通話相手側のリソースの解放を実行させる。
【００２８】
比較例にかかる無線通信システム２００では、携帯端末２０２の再接続が実行され以前の呼接続で割り当てられたリソースが不必要になっても、タイムアウトするまではこれを解放することができない。これに対して、本実施形態にかかる無線通信システム１００では、携帯端末１０２の再接続が実行されると、すぐに以前の呼接続で割り当てられたリソースを解放することができる。すなわち、呼接続中に無線通信接続状態の悪化等により携帯端末１０２の再接続が実行され呼残りが発生した場合に、迅速にその呼残りを解消することができる。
【００２９】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００３０】
なお、本実施形態に記載の各ステップは、必ずしも記載された順序に沿って時系列に処理する必要はなく、その一部の順序が逆になったり、並列的に処理されたりしてもよい。
【産業上の利用可能性】
【００３１】
本発明は、携帯端末の呼接続を中継する基地局および呼残り解消方法として利用可能である。
【符号の説明】
【００３２】
１００、２００…無線通信システム、１０２、２０２…携帯端末、１０４、２０４…基地局、１０６、２０６…呼接続管理装置、１０８…制御部、１１０…記憶部、１１２…表示部、１１４…操作部、１１６…無線通信部、１１８…制御部、１２０…記憶部、１２２…無線通信部、１２４…回線接続部、１２６…回線ネットワーク
【図１】
2013187586.tif 000003
【図２】
2013187586.tif 000004
【図３】
2013187586.tif 000005
【図４】
2013187586.tif 000006